(57)【要約】【課題】装着部の固有振動数を変更するように装着部を押圧しつつ、装着部を押し縮めるように押圧する技術と比較して装着部を変形しにくくすることができる光書込装置及び画像形成装置を提供する。【解決手段】画像形成装置１０は、光書込装置２００を有し、光書込装置２００は、発光部２０８が設けられたＬＥＤ回路基板２１２と、発光部２０８からの光を収束させるロッドレンズアレイ２１０と、ＬＥＤ回路基板２１２及びロッドレンズアレイ２１０が装着されるハウジング２０４と、ハウジング２０４が長手方向に引っ張られるように、ハウジング２０４を押圧する押圧力変更機構３００とを有する。【選択図】図４
2018034462.tif 000002
【特許請求の範囲】
【請求項１】
発光部が設けられた基板と、
前記発光部からの光を収束させる収束部材と、
前記基板及び前記収束部材が装着される装着部と、
前記装着部が長手方向に引っ張られるように、前記装着部を押圧する押圧手段と、
を有する光書込装置。
【請求項２】
前記押圧手段が前記装着部を押圧する力を変更する押圧力変更手段をさらに有する請求項１記載の光書込装置。
【請求項３】
前記押圧手段は、
前記装着部に接触し、前記装着部を押圧する押圧部材と、
前記装着部に対して前記押圧部材を押し付ける方向に前記押圧部材を付勢する付勢部材と、
を有し、
前記押圧力変更手段は、前記押圧手段で用いられている前記付勢部材が、前記押圧部材を付勢する力が異なる他の前記付勢部材に交換されることにより、前記押圧手段が前記装着部を押圧する力を変更する請求項２記載の光書込装置。
【請求項４】
前記押圧手段は、
前記装着部に接触し、前記装着部を押圧する押圧部材と、
前記装着部に対して前記押圧部材を押し付ける方向に前記押圧部材を付勢し、一端部が前記押圧部材に連結されている付勢部材と、
を有し、
前記圧力変更手段は、前記付勢部材の他端部が固定される位置の前記一端部からの距離が変更されることにより、前記押圧手段が前記装着部を押圧する力を変更する請求項２記載の光書込装置。
【請求項５】
像を保持する像保持体と、
前記像保持体に潜像を形成するための光を発する発光部が設けられた基板と、
前記発光部からの光を収束させる収束部材と、
前記基板及び前記収束部材が装着される装着部と、
前記装着部が長手方向に引っ張られるように、前記装着部を押圧する押圧手段と、
を有する画像形成装置。
【発明の詳細な説明】
【技術分野】
【０００１】
本発明は、光書込装置及び画像形成装置に関する。
【背景技術】
【０００２】
特許文献１には、回転する像保持体の軸線方向である第１方向に沿って並ぶ複数の発光素子を備え、当該複数の発光素子から当該像保持体へと向かう第２方向に光を照射して当該像保持体を露光する露光部材と、前記露光部材を前記第２方向に沿って前記像保持体に突き当て、当該露光部材の当該像保持体に対する当該第２方向の位置決めを行う位置決め部材と、前記露光部材における前記第１方向の端部側に設けられ、当該露光部材の前記位置決め部材に対する移動を規制する移動規制部材とを備える露光装置が記載されている。
【先行技術文献】
【特許文献】
【０００３】
【特許文献１】特開２０１４−２１３５４１号公報
【発明の概要】
【発明が解決しようとする課題】
【０００４】
光書込装置においては、発光部が装着されている装着部の固有振動数を変更するように装着部を押圧することがあり、この際に、装着部を押圧することにより装着部が変形する虞がある。
【０００５】
本発明は、装着部の固有振動数を変更するように装着部を押圧しつつ、装着部を押し縮めるように押圧する技術と比較して装着部を変形しにくくすることができる光書込装置及び画像形成装置を提供することを目的とする。
【課題を解決するための手段】
【０００６】
請求項１に係る本発明は、発光部が設けられた基板と、前記発光部からの光を収束させる収束部材と、前記基板及び前記収束部材が装着される装着部と、前記装着部が長手方向に引っ張られるように、前記装着部を押圧する押圧手段と、を有する光書込装置である。
【０００７】
請求項２に係る本発明は、前記押圧手段が前記装着部を押圧する力を変更する押圧力変更手段をさらに有する請求項１記載の光書込装置である。
【０００８】
請求項３に係る本発明は、前記押圧手段は、前記装着部に接触し、前記装着部を押圧する押圧部材と、前記装着部に対して前記押圧部材を押し付ける方向に前記押圧部材を付勢する付勢部材と、を有し、前記押圧力変更手段は、前記押圧手段で用いられている前記付勢部材が、前記押圧部材を付勢する力が異なる他の前記付勢部材に交換されることにより、前記押圧手段が前記装着部を押圧する力を変更する請求項２記載の光書込装置である。
【０００９】
請求項４に係る本発明は、前記押圧手段は、前記装着部に接触し、前記装着部を押圧する押圧部材と、前記装着部に対して前記押圧部材を押し付ける方向に前記押圧部材を付勢し、一端部が前記押圧部材に連結されている付勢部材と、を有し、前記圧力変更手段は、前記付勢部材の他端部が固定される位置の前記一端部からの距離が変更されることにより、前記押圧手段が前記装着部を押圧する力を変更する請求項２記載の光書込装置である。
【００１０】
請求項５に係る本発明は、像を保持する像保持体と、前記像保持体に潜像を形成するための光を発する発光部が設けられた基板と、前記発光部からの光を収束させる収束部材と、前記基板及び前記収束部材が装着される装着部と、前記装着部が長手方向に引っ張られるように、前記装着部を押圧する押圧手段と、を有する画像形成装置である。
【発明の効果】
【００１１】
請求項１に係る本発明によれば、装着部の固有振動数を変更するように装着部を押圧しつつ、装着部を押し縮めるように押圧する技術と比較して装着部を変形しにくくすることができる光書込装置を提供することができる。
【００１２】
請求項２に係る本発明によれば、装着部を押圧する力を変更することで、装着部の固有振動数を変更することができる。
【００１３】
請求項３に係る本発明によれば、付勢部材を交換することにより押圧部材が装着部を押圧する押圧力を変更することができるため、押圧部材が装着部を押圧する押圧力を変更するための機構を簡単にすることができる。
【００１４】
請求項４に係る本発明によれば、押圧部材を押圧する付勢部材を交換しなくても押圧部材が装着部を押圧する押圧力を変更することができる。
【００１５】
請求項５に係る本発明によれば、装着部の固有振動数を変更するように装着部を押圧しつつ、装着部を押し縮めるように押圧する技術と比較して装着部を変形しにくくすることができる画像形装置を提供することができる。
【図面の簡単な説明】
【００１６】
【図１】本発明の第１の実施形態に係る画像形成装置の構成を示す図である。
【図２】図１に示す画像形成装置が有する光書込装置のプリンタヘッドを示す図である。
【図３】Ｘ軸方向とＹ軸方向とにおいて、プリンタヘッドを感光体ドラムに対して位置決めする機構を示す図である。
【図４】図２に示す光書込装置の断面を示すとともに、図２に示す光書込装置が有する押圧力変更機構を示す図である。
【図５】本発明の第２の実施形態に係る画像形成装置が有する光書込装置の断面を示すとともに、本発明の第２の実施形態に係る画像形成装置が有する光書込装置が有する圧力変更機構を示す図である。
【発明を実施するための形態】
【００１７】
次に、本発明を実施するための形態を図面を参照して説明する。図１には、本発明の第１実施形態に係る画像形成装置１０が示されている。図１に矢印で方向が示されているように、以下の説明において、画像形成装置１０の左側面側から右側面側へと向かう方向をＸ軸方向とし、重力方向における下側から上側に向かう方向をＹ軸方向とし、画像形成装置の後側から前側に向かう方向をＺ軸方向する。
【００１８】
図１に示すように、画像形成装置１０は画像形成装置本体１２を有し、画像形成装置本体１２には、記録媒体として用いられている用紙を排出する排出口１４が形成されている。また、画像形成装置本体１２内には、用紙を搬送するための搬送路６００が形成されている。また、画像形成装置本体１２内には、搬送路６００に沿って用紙搬送方向における上流側から順に、給紙装置６５０と、給紙装置６５０から供給された用紙に転写され、定着されるトナー像を形成するための像形成部１００と、像形成部１００によって形成されたトナー像を用紙に転写する転写装置１８０と、転写装置１８０によって用紙に転写されたトナー像を用紙に定着する定着装置６７０とが配置されている。
【００１９】
給紙装置６５０は、収納部６５２と、収納部６５２に収納された最上位に位置する用紙を搬送路６００へと送り出す送出装置６５４とを有する。
【００２０】
像形成部１００は、例えば画像形成装置本体１２に対して着脱することができ、像保持体として用いられている感光体ドラム１１２を有する像形成ユニット１１０と、光書込装置２００とを有し、光書込装置２００は、感光体ドラム１１２に光により潜像を書き込むためのプリンタヘッド２０２と、プリンタヘッド２０２を保持する保持部として用いられている枠体２３０とを有する。
【００２１】
像形成ユニット１１０は、ユニット本体１１４を有し、ユニット本体１１４に対し、先述の感光体ドラム１１２と、感光体ドラム１１２の表面を帯電させる帯電装置１１６と、帯電装置１１６によって帯電された感光体ドラム１１２の表面にプリンタヘッド２０２により形成された潜像を現像する現像装置１１８と、転写装置１８０によって用紙へとトナー像が転写された後に感光体ドラム１１２の表面に残留しているトナー等を清掃する清掃装置１２２とが装着されている。
【００２２】
転写装置１８０は、転写部材として用いられている転写ロール１８２を有し、転写ロール１８２に転写バイアスが印加されていて、感光体ドラム１１２から用紙へとトナー像を静電的に移動させる。
【００２３】
定着装置６７０は、熱と圧力とを用いてトナー像を用紙に対して定着させる装置であり、例えばハロゲンランプ等を用いることができる熱源６７４を有する加熱ロール６７２と、加熱ロール６７２に対して用紙を押し付ける加圧ロール６７６とを有する。
【００２４】
以上のように構成された本発明の第１の実施形態に係る画像形成装置１０においては、給紙装置６５０から供給された用紙に対して、感光体ドラム１１２の表面に形成されたトナー像が転写装置１８０によって転写され、転写装置１８０によって用紙に転写されたトナー像が定着装置６７０によって用紙に定着され、定着装置６７０によってトナー像が定着された用紙が排出口１４を通過するようにして画像形成装置本体１２外へと排出される。
【００２５】
図２には、プリンタヘッド２０２が示されている。図２に示されているように、プリンタヘッド２０２は、光を発する発光部２０８が長手方向（Ｚ軸方向）に設けられた基板として用いられているＬＥＤ回路基板２１２と、ＬＥＤ回路基板２１２からの光を収束させる収束部材として用いられているロッドレンズアレイ２１０と、ＬＥＤ回路基板２１２及びロッドレンズアレイ２１０が装着されている装着部として用いられているハウジング２０４とを有する。
【００２６】
プリンタヘッド２０２においては、ＬＥＤ回路基板２１２に組み込まれた信号生成回路（不図示）によって発光部２０８が駆動され、その信号駆動回路により駆動されることで発光部２０８が光を発し、発光部２０８から発せられた光がロッドレンズアレイ２１０によって感光体ドラム１１２の表面に結像される。
【００２７】
プリンタヘッド２０２においては、感光体ドラム１１２の表面に正確に結像をさせるために、感光体ドラム１１２に対してハウジング２０４を正確に位置決めすることを要する。また、ハウジング２０４が、画像形成装置１０が有するモータ（不図示）やギア（不図示）等の振動における周波数と共振をする等の理由で振動をすると、形成される画像に乱れが生じる虞がある。また、感光体ドラム１１２に対する位置決め等のためにハウジング２０４に圧力を加えることでハウジング２０４に撓み等の変形が生じると、ハウジング２０４の変形を理由として感光体ドラム１１２の表面に正確に結像がなされなくなり、これにより画像に乱れが生じる虞がある。
【００２８】
図３には、Ｘ軸方向とＹ軸方向とにおいて、ハウジング２０４を感光体ドラム１１２に対して位置決めする機構が示されている。Ｙ軸方向におけるハウジング２０４の感光体ドラム１１２に対する位置決めは、ハウジング２０４をユニット本体１１４に対して押し付けることによりなされる。
【００２９】
より具体的には、枠体２３０の長手方向（Ｚ軸方向）における後端部側（図３における紙面奥側）に弾性体から構成されている例えばコイルスプリング等の後側付勢部材２２２Ｒの一端部（下端部）が装着されていて、後側付勢部材２２２Ｒの他端部（上端部）に後側押圧部材２２０Ｒが連結されていて、後側付勢部材２２２Ｒによって付勢された後側押圧部材２２０Ｒによって、ハウジング２０４の後端側接触部２０４Ｒ（図４を参照）がユニット本体１１４に対して押し付けられているとともに、図４に示すように、枠体２３０の長手方向（Ｚ軸方向）における前端部側（図３における紙面前側）に弾性体から構成されている例えばコイルスプリング等の前側付勢部材２２２Ｆの一端部（下端部）が装着されていて、前側付勢部材２２２Ｆの他端部（上端部）に前側押圧部材２２０Ｆが連結されていて、前側付勢部材２２２Ｆによって付勢された前側押圧部材２２０Ｆによって、ハウジング２０４の前端側接触部２０４Ｆ（図４を参照）がユニット本体１１４に対して押し付けられている。
【００３０】
Ｘ軸方向におけるプリンタヘッド２０２の感光体ドラム１１２に対する位置決めは、枠体２３０が、その凸部２３４と凸部２３６とでＸ軸方向における両側からハウジング２０４を挟み込みこむことによりなされている。
【００３１】
図４は、光書込装置２００の断面を示すとともに、光書込装置２００が有する押圧力変更機構３００を示す図である。図４に示すように、ハウジング２０４は、垂直成分を含む壁面２０６を有する。また、枠体２３０は、後述するコイルスプリング３３０が固定される位置である固定部２３２を有する。
【００３２】
押圧力変更機構３００は、押圧手段として用いられているとともに押圧力変更手段として用いられていて、ハウジング２０４が長手方向に引っ張られるようにハウジング２０４を押圧するとともに、ハウジング２０４を押圧する力を変更する。また、押圧力変更機構３００は、押圧部材３１０を有する。押圧部材３１０は、ハウジング２０４に接触しハウジングを押圧する部材であり、壁面２０６に接触する接触部３１２を有し、軸３２０を中心に回転することができるように枠体２３０に対して装着されている。
【００３３】
押圧力変更機構３００は、コイルスプリング３３０をさらに有する。コイルスプリング３３０は、ハウジングに対して押圧部材３１０を押し付ける方向に押圧部材３１０を付勢する。また、コイルスプリング３３０は、一端部が押圧部材３１０に連結されていて、他端部側が固定部２３２に固定されていて、押圧部材３１０が軸３２０を中心として図４における反時計回り方向に回転するように押圧部材３１０を付勢している。
【００３４】
押圧力変更機構３００においては、用いられているコイルスプリング３３０が、押圧部材３１０を付勢する付勢力が異なる他のコイルスプリング３３０（不図示）に交換されることにより、ハウジング２０４を押圧する力を変更する。
【００３５】
以上のように構成された押圧力変更機構３００においては、コイルスプリング３３０によって押圧部材３１０が軸３２０を中心に反時計回り方向に回転するように付勢され、押圧部材３１０が付勢されることで、押圧部材３１０の接触部３１２がハウジング２０４の壁面２０６を押圧する。そして、壁面２０６が接触部３１２に押圧されることにより、長手方向に引っ張られるようにハウジング２０４が押圧される。そして、このようにハウジング２０４を押圧することで、ハウジング２０４の固有振動数の変更をすることができ、ハウジング２０４の共振点を変更することができる。
【００３６】
また、以上のように構成された押圧力変更機構３００においては、長手方向に引っ張る方向にハウジング２０４が押圧される。このため、長手方向に押し縮めるようにハウジング２０４が押圧される技術と比較して、ハウジング２０４の変形を生じにくくすることができる。
【００３７】
また、以上のように構成された押圧力変更機構３００では、用いられているコイルスプリング３３０が、押圧部材３１０を付勢する付勢力が異なる他のコイルスプリング３３０に交換されることによりハウジング２０４に加えられる押圧力を変更するので、押圧力を変更するための特別な機構を不要とすることができる。
【００３８】
図５は、本発明の第２の実施形態に係る画像形成装置１０が有する光書込装置２００の断面を示すとともに、光書込装置２００が有する押圧力変更機構３００を示す図である。先述の第１の実施形態においては、押圧力変更機構３００は、用いられているコイルスプリング３３０が押圧部材３１０を付勢する付勢力が異なる他のコイルスプリング３３０に交換されることにより、ハウジング２０４に加えられる押圧力を変更した。これに対して、この第２の実施形態においては、一端部が押圧部材３１０に連結されているコイルスプリング３３０の他端部が固定される位置の、上述の一端部からの距離が変更されることにより、押圧力変更機構３００はハウジング２０４に加えられる押圧力を変更する。
【００３９】
より具体的には、光書込装置２００が、枠体２３０に対して移動可能であって、枠体２３０に対してネジ２４２を用いて固定することができる移動部材２４０を有し、移動部材２４０にコイルスプリング３３０の他端部が連結されていて、コイルスプリング３３０の一端部からの距離が変更されることにより、ハウジング２０４に加えられる押圧力を変更するようになっている。
【００４０】
上述の第１の実施形態と上述の第２の実施形態とを組み合わせて、用いられているコイルスプリング３３０が押圧部材３１０を付勢する付勢力が異なる他のコイルスプリング３３０に交換することができるようにするとともに、一端部が押圧部材３１０に連結されているコイルスプリング３３０の他端部が固定される位置の、上述の一端部からの距離が変更することができるようにしてもよい。
【産業上の利用可能性】
【００４１】
以上で説明をしたように、本発明は、複写機、ファクシミリ装置、プリンタ等の画像形成装置と、例えば上述のような画像形成装置で用いられる光書込装置に適用することができる。
【符号の説明】
【００４２】
１０・・・画像形成装置
１１２・・・感光体ドラム
２００・・・光書込装置
２０２・・・プリンタヘッド
２０４・・・ハウジング
２０８・・・発光部
２１０・・・ロッドレンズアレイ
２３０・・・枠体
２４０・・・移動部材
２４２・・・ネジ
３００・・・押圧力変更機構
３１０・・・押圧部材
３３０・・・コイルスプリング
【図１】
2018034462.tif 000003
【図２】
2018034462.tif 000004
【図３】
2018034462.tif 000005
【図４】
2018034462.tif 000006
【図５】
2018034462.tif 000007